(57)【要約】【課題】製造時における隔壁の削り斑の発生を防止して表示斑の無いＰＤＰを提供する。【解決手段】列電極Ｄがそれぞれ上電極部分Ｄ１と下電極部分Ｄ２に二分割されてパネル面Ｐに第上電極部分Ｄ１が対向する上パネル面Ｐ１と下電極部分Ｄ２が対向する下パネル面Ｐ２が構成され、隔壁５の上パネル面Ｐ１と下パネル面Ｐ２の境界に位置する部分の横壁５Ａａ２，５Ｂａ２の列方向の幅Ｗ２が他方の横壁５Ａａ１，５Ｂａ１の列方向の幅Ｗ１よりも大きくなるように形成されている。【選択図】図２
2008171728.tif 000002
【特許請求の範囲】
【請求項１】
放電空間を介して対向する第１および第２基板と、行方向に延びる第１および第２行電極からなり第1基板側の内面に列方向に並設された複数の行電極対と、第２基板側の内面に列方向に延びるとともに行方向に並設されて行電極対と交差する部分の放電空間にそれぞれ単位発光領域を形成する複数の列電極と、少なくとも行方向に延びる横壁を備えて放電空間を各単位発光領域毎に区画する隔壁とを備え、各列電極がそれぞれ第１電極部分と第２電極部分に二分割されてパネル面に第１電極部分が対向する第１パネル面と第２電極部分が対向する第２パネル面が構成されたプラズマディスプレイパネルにおいて、
前記隔壁の第１パネル面と第２パネル面の境界に位置する部分の横壁の列方向の幅が隔壁の他の部分の横壁の列方向の幅よりも大きくなっていることを特徴とするプラズマディスプレイパネル。
【請求項２】
前記隔壁が、行方向に延びる一対の横壁とこの一対の横壁間において列方向に延びる複数の縦壁とを有していて各行電極対に対向する位置毎に配置された複数の梯子状隔壁によって構成され、
前記第１パネル面と第２パネル面の境界の両側に位置する二つの梯子状隔壁の互いに背中合わせに位置する側の横壁が、行方向に延びる隙間によって互いに離間しているとともに、この横壁の列方向の幅が、他方の側の横壁の列方向の幅よりも大きくなっている請求項1に記載のプラズマディスプレイパネル。
【請求項３】
前記第１パネル面と第２パネル面の境界の両側に位置する二つの梯子状隔壁の互いに背中合わせに位置する側の横壁が、隙間内に位置するとともに列方向に延びる複数の壁部によって連結されている請求項２に記載のプラズマディスプレイパネル。
【請求項４】
前記壁部の行方向の幅が、梯子状隔壁の縦壁の行方向の幅よりも大きくなっている請求項３に記載のプラズマディスプレイパネル。
【請求項５】
前記壁部が、それぞれ、梯子状隔壁の縦壁と列方向に直線状に並ぶ位置において横壁に連結されている請求項３に記載のプラズマディスプレイパネル。
【請求項６】
前記壁部が、それぞれ、梯子状隔壁の横壁のそれぞれ隣接する縦壁の間の中間部分において横壁に連結されている請求項３に記載のプラズマディスプレイパネル。
【請求項７】
前記第１パネル面と第２パネル面の境界の両側に位置する二つの梯子状隔壁の互いに背中合わせに位置する側の横壁のそれぞれ隣接する縦壁の間の中間部分に、それぞれ、横壁から隙間内に突出するとともに隙間内において第１パネル面と第２パネル面の境界を挟んで互いに対向される突出部が形成されている請求項２に記載のプラズマディスプレイパネル。
【請求項８】
前記第１パネル面と第２パネル面の境界の両側に位置する二つの梯子状隔壁が、第１パネル面と第２パネル面の境界を跨ぐ位置に配置されて列方向の幅が梯子状隔壁の他方の側の横壁の列方向の幅よりも大きい横壁を共用している請求項２に記載のプラズマディスプレイパネル。
【請求項９】
前記行電極対を構成する第１電極と第２行電極が隣接する行電極対間で列方向において逆の位置に配置されており、第１パネル面と第２パネル面の境界を挟んだ両側に共に第1行電極が配置されている請求項１に記載のプラズマディスプレイパネル。
【請求項１０】
前記第１行電極が、第２行電極との間でサステイン放電を行う維持電極である請求項９に記載のプラズマディスプレイパネル。
【請求項１１】
前記第１行電極が、列電極との間でアドレス放電を行う走査電極である請求項９に記載のプラズマディスプレイパネル。
【請求項１２】
前記各列電極の第１電極部分と第２電極部分のそれぞれの端部が、第１パネル面と第２パネル面の境界に位置する隔壁の横壁に、第１基板側から見て所要の面積で対向する位置に配置されている請求項１に記載のプラズマディスプレイパネル。
【発明の詳細な説明】
【技術分野】
【０００１】
この発明は、プラズマディスプレイパネルの構成に関する。
【背景技術】
【０００２】
プラズマディスプレイパネル（以下、ＰＤＰという）は、一般に、放電空間を挟んで対向される二枚の基板の間に行方向と列方向の互いに直交する方向に延びる行電極対と列電極が配置され、この行電極対と列電極（アドレス電極）が交差する部分の放電空間にそれぞれパネル面にマトリクス状に配置される放電セルが形成され、この放電セル内において発生される行電極対の一方の行電極と列電極間および行電極対の行電極間での放電によって、各放電セル内の赤，緑，青の三原色の蛍光体層が発光することにより、マトリクス表示による画像の形成を行う構成になっている。
【０００３】
このような構成のＰＤＰには、従来、列方向に延びる各列電極が、パネル面の上半部分に対向する部分と下半部分に対向する部分の上下二つの部分に分割されているものがある（例えば、特許文献１参照）。
【０００４】
このような列電極が上下に二分割されたＰＤＰは、ＰＤＰ駆動時のアドレス放電期間（書き込み放電期間）に、各列電極の分割された上下の部分にそれぞれ別個にデータ・パルスを印加してアドレス放電を行わせることにより、アドレス放電期間をそれまでのＰＤＰに対して約半分に短縮することが出来、その分、放電による発光を行うサステイン放電期間を長く設定できるので、画面の輝度が向上されるという効果を発揮することができる。
【０００５】
しかしながら、このような列電極が上下に二分割されたＰＤＰは、その製造工程において、以下のような問題が生じる。
【０００６】
すなわち、一般にＰＤＰの製造工程においては、基板上に放電空間を放電セル毎に区画する隔壁を形成する際にサンドブラスト法が用いられる場合が多いが、このサンドブラスト法による隔壁形成工程時に発生する静電気が、隔壁形成層の列電極に対向している部分と対向していない部分とで異なるため、列電極が分割されている部分（列電極に対向していない部分）と他の部分（列電極に対向している部分）とで、サンドブラストによる隔壁形成層の削り斑が発生し、この削り斑によって焼成時の収縮による変形の仕方が他の部分の横壁部分と異なって、パネル面の全面に亘って均一な放電セルを形成することが出来なくなることにより、画面に表示斑が発生する虞がある。
【０００７】
また、このようなサンドブラスト法による隔壁形成工程時には、同様の理由により、列電極の分割部分に対向する部分において隔壁の高さが他の部分よりも高くなってしまい、この部分において隔壁と対向する基板側の構造部分との間に接触斑が生じて、聴感ノイズが発生する虞がある。
【０００８】
さらに、隔壁の形成にサンドブラスト法が用いられない場合でも、列電極の分割部分に対向する部分においては、互いに対向する二枚の基板の重ね合わせ時のずれによって、一方の基板側に形成された行電極対と他方の基板側に形成された列電極との対向面積が変化してしまうために、これによっても画面に表示斑が発生する虞がある。
【０００９】
このような列電極が二分割されたＰＤＰにおける表示斑の発生の問題は、近年のフルＨＤのような高精細な画面を形成するＰＤＰ等の開発において、放電セルの形状が従来のＰＤＰよりも小さくなるために、特に顕著になっている。
【００１０】
【特許文献１】特開平１１−６５４８６号公報
【発明の開示】
【発明が解決しようとする課題】
【００１１】
この発明は、上記のような従来のＰＤＰにおける問題点を解決することをその技術的課題の一つとしている。
【課題を解決するための手段】
【００１２】
この発明（請求項１に記載の発明）によるＰＤＰは、上記課題を達成するために、放電空間を介して対向する第１および第２基板と、行方向に延びる第１および第２行電極からなり第1基板側の内面に列方向に並設された複数の行電極対と、第２基板側の内面に列方向に延びるとともに行方向に並設されて行電極対と交差する部分の放電空間にそれぞれ単位発光領域を形成する複数の列電極と、少なくとも行方向に延びる横壁を備えて放電空間を各単位発光領域毎に区画する隔壁とを備え、各列電極がそれぞれ第１電極部分と第２電極部分に二分割されてパネル面に第１電極部分が対向する第１パネル面と第２電極部分が対向する第２パネル面が構成されたプラズマディスプレイパネルにおいて、前記隔壁の第１パネル面と第２パネル面の境界に位置する部分の横壁の列方向の幅が隔壁の他の部分の横壁の列方向の幅よりも大きくなっていることを特徴としている。
【発明を実施するための最良の形態】
【００１３】
この発明は、放電空間を介して前面ガラス基板と背面ガラス基板が対向され、前面ガラス基板の内面に行方向に延びる複数の行電極対が列方向に並設され、背面ガラス基板の内面に列方向に延びる列電極が行方向に並設され、前面ガラス基板と背面ガラス基板の間に配置された隔壁によって行電極対と列電極が交差する部分にそれぞれ形成される放電セルが区画され、各列電極がそれぞれ第１電極部分と第２電極部分に二分割されてパネル面に第１電極部分が対向する第１パネル面と第２電極部分が対向する第２パネル面が構成され、隔壁の第１パネル面と第２パネル面の境界に位置する部分の横壁の列方向の幅が隔壁の他の部分の横壁の列方向の幅よりも大きくなっているＰＤＰを、その最良の実施形態としている。
【００１４】
この実施形態のＰＤＰは、列電極が第１電極部分と第２電極部分に分割されたＰＤＰの製造が例えばサンドブラスト法によって行われる際に、このＰＤＰの隔壁形成工程時に、隔壁の第１パネル面と第２パネル面の境界に位置する部分の横壁の列方向の幅が隔壁の他の部分の横壁の列方向の幅よりも大きくなっていることにより、ＰＤＰ製造時のサンドブラスト法による隔壁形成工程時に列電極が分割されている部分に隔壁形成層の削り斑の発生が発生する場合でも、列電極の分割部分における横壁の列方向の幅がこの削り斑を予め想定した任意の大きさに設定されることによって、焼成時の収縮による変形の仕方を他の部分の横壁とほぼ同じにすることが出来るので、パネル面の全面に亘って均一な放電セルを形成することが出来るようになり、これによって、画面に表示斑が発生するのを防止することが出来る。
【００１５】
さらに、このＰＤＰは、上記の構成によって、サンドブラスト法による隔壁形成工程時に列電極が分割されている部分の隔壁の高さが他の部分よりも高くなるのが防止され、この部分において隔壁と対向する基板側の構造部分との間に接触斑が生じるのが防止されて、聴感ノイズが発生する虞がなくなる。
【００１６】
上記実施形態のＰＤＰにおける隔壁の形態としては、隔壁が行方向に延びる一対の横壁とこの一対の横壁間において列方向に延びる複数の縦壁とを有していて各行電極対に対向する位置毎に配置された複数の梯子状隔壁によって構成され、第１パネル面と第２パネル面の境界の両側に位置する二つの梯子状隔壁の互いに背中合わせに位置する側の横壁が、行方向に延びる隙間によって互いに離間しているとともにこの横壁の列方向の幅が、他方の側の横壁の列方向の幅よりも大きくなっている形態や、この形態の隔壁において、第１パネル面と第２パネル面の境界の両側に位置する二つの梯子状隔壁の互いに背中合わせに位置する側の横壁が、隙間内に位置するとともに列方向に延びる複数の壁部によって連結されている形態、第１パネル面と第２パネル面の境界の両側に位置する二つの梯子状隔壁の互いに背中合わせに位置する側の横壁のそれぞれ隣接する縦壁の間の中間部分に、それぞれ、横壁から隙間内に突出するとともに隙間内において第１パネル面と第２パネル面の境界を挟んで互いに対向される突出部が形成されている形態、第１パネル面と第２パネル面の境界の両側に位置する二つの梯子状隔壁が、第１パネル面と第２パネル面の境界を跨ぐ位置に配置されて列方向の幅が梯子状隔壁の他方の側の横壁の列方向の幅よりも大きい横壁を共用している形態などが挙げられる。
【００１７】
これらの隔壁の形態を有するＰＤＰの何れも、ＰＤＰ製造時のサンドブラスト法による隔壁形成工程時に、隔壁形成層に削り斑が発生して画面に表示斑が発生するのを防止することが出来るとともに、列電極の分割部分の隔壁の高さが高くなって基板側の構造部分との間の接触斑が発生することによる聴感ノイズの発生を防止することが出来る。
【００１８】
上記実施形態のＰＤＰにおける行電極対の形態としては、行電極対を構成する第１電極と第２行電極が隣接する行電極対間で列方向において逆の位置に配置されており、第１パネル面と第２パネル面の境界を挟んだ両側に共に第1行電極が配置され、この第１行電極が、第２行電極との間でサステイン放電を行う維持電極である形態が挙げられる。
【００１９】
この行電極対の形態を有するＰＤＰは、製造工程において前面ガラス基板と背面ガラス基板が重ね合わされた際に、この二枚の基板の重ね合わせ位置にずれが生じた場合でも、走査電極となる行電極と列電極との対向面積は影響を受けないので、画面に表示斑が発生する虞がない。
【実施例１】
【００２０】
図１ないし３は、この発明の実施形態における第１実施例を示しており、図１はこの実施例のパネル面の構成と行電極の配置を示す説明図であり、図２は同実施例におけるＰＤＰの中央部分を示す正面図，図３は図２のＶ−Ｖ線における断面図である。
【００２１】
この図１において、ＰＤＰのパネル面Ｐは、このパネル面Ｐの中央部において行方向（図１の左右方向）に延びる分割境界線αを挟んで、上半部分（上パネル面）Ｐ１と下半部分（下パネル面）Ｐ２に二等分割されている。
【００２２】
図２および３において、ＰＤＰは、表示面を構成する前面ガラス基板１の背面上に、複数の行電極対（Ｘ，Ｙ）が、前面ガラス基板１の行方向（図２の左右方向）に延びるとともに列方向（図２の上下方向）に等間隔に並設されている。
【００２３】
この行電極対（Ｘ，Ｙ）を構成する行電極Ｘ，Ｙは、それぞれ、行方向に帯状に延びる金属製のバス電極Ｘａ，Ｙａと、このバス電極Ｘａ，Ｙａの等間隔位置に接続された略Ｔ字形状の複数の透明電極Ｘｂ，Ｙｂとによって構成され、行電極対（Ｘ，Ｙ）において互いに対になっている透明電極ＸｂとＹｂが、それぞれ他方の行電極側に延びて、幅広の頂辺が互いに放電ギャップｇを介して対向されている。
【００２４】
そして、各行電極対（Ｘ，Ｙ）の行電極ＸとＹは、隣接する行電極対（Ｘ，Ｙ）間でその列方向における位置が交互に逆になるように配置されており、図１に示されるように、上パネル面Ｐ１に対向する領域において、Ｘ1−Ｙ1，Ｙ2−Ｘ2…Ｘn-1−Ｙn-1，Ｙn−Ｘnという態様で配置されており、下パネル面Ｐ２に対向する領域において、Ｘn+1−Ｙn+1，Ｙn+2−Ｘn+2…Ｘ2n-1−Ｙ2n-1，Ｙ2n−Ｘ2nという態様で配置されていて、上パネル面Ｐ１の最上段と最下段に共に行電極Ｘ（Ｘ1とＸn）が位置され、同様に、下パネル面Ｐ２の最上段と最下段に共に行電極Ｘ（Ｘn+1とＸ2n）が位置されている。
【００２５】
前面ガラス基板１の背面には、さらに、誘電体層２が形成されて、この誘電体層２によって行電極対（Ｘ，Ｙ）が被覆されており、この誘電体層２の背面は、ＭｇＯ等の高γ材料によって形成された図示しない保護層によって被覆されている。
【００２６】
この前面ガラス基板１と放電空間を介して平行に対向される背面ガラス基板３の内面上（前面ガラス基板１に対向される側の面上）には、列方向に延びる複数の列電極Ｄが、それぞれ行電極対（Ｘ，Ｙ）の放電ギャップｇを介して対向して対になっている透明電極Ｘｂ，Ｙｂに対向する位置に形成されている。
【００２７】
この各列電極Ｄは、それぞれ、上パネル面Ｐ１に対向する上電極部分Ｄ１と下パネル面Ｐ２に対向する下電極部分Ｄ２とに二分割されている。
この列電極Ｄの上電極部分Ｄ１と下電極部分Ｄ２の配置については、後でさらに説明を行う。
【００２８】
この背面ガラス基板３の内面上には、さらに、列電極保護層４が形成されて、この列電極保護層４によって列電極Ｄが被覆されている。
【００２９】
列電極保護層４上には、各行電極対（Ｘ，Ｙ）に対向する位置毎に、それぞれ行方向に延びる略梯子形状の隔壁５が形成されおり、この隔壁５によって、前面ガラス基板１と背面ガラス基板３の間の放電空間が、行電極対（Ｘ，Ｙ）の互いに放電ギャップｇを介して対向して対になっている透明電極Ｘｂ，Ｙｂに対向する部分毎に区画されて、それぞれマトリクス状に配置された放電セルＣが形成されている。
この隔壁５の構成については、後でさらに詳述する。
【００３０】
各放電セルＣ内には、それぞれ、放電セルＣ毎に色分けされた赤，緑，青の蛍光体層６が、赤，緑，青の色が行方向に順に並ぶように形成されている。
【００３１】
そして、前面ガラス基板１と背面ガラス基板３の間の密閉された放電空間内には、キセノンを含む放電ガスが封入されている。
【００３２】
次に、隔壁５の構成について詳述する。
隔壁５には、パネル面Ｐの上パネル面Ｐ１に対向する行電極対（Ｘ，Ｙ）のうち最下段に位置する行電極対（Ｘn，Ｙn）に対向する隔壁５Ａと、下パネル面Ｐ２に対向する行電極対のうち最上段に位置する行電極対（Ｘn+1，Ｙn+1）に対向する隔壁５Ｂと、その他の行電極対（Ｘ，Ｙ）に対向して隔壁５Ａ，５Ｂの列方向における両側に位置する複数の隔壁５Ｃとがある。
【００３３】
各隔壁５Ｃは、対応する行電極対（Ｘ，Ｙ）の行電極Ｘ，Ｙのバス電極Ｘａ，Ｙａよりも列方向のそれぞれ外側の位置に対向する位置において、行方向の延びる一対の横壁５Ｃａと、行方向において隣接する透明電極Ｘｂ，Ｙｂの間の位置に対向する位置において一対の横壁５Ｃａ間を列方向に延びる複数の縦壁５Ｃｂとによって、それぞれ略格子形状に成形されている。
【００３４】
この縦壁５Ｃの両側の横壁５Ｃａは、列方向の幅が幅Ｗ１で互いに等しくなるように成形されている。
【００３５】
隔壁５Ａは、対応する行電極対（Ｘ，Ｙ）の行電極Ｘ，Ｙのバス電極Ｘａ，Ｙａよりも列方向のそれぞれ外側の位置に対向する位置において、行方向の延びる一対の横壁５Ａａ１および５Ａａ２と、行方向において隣接する透明電極Ｘｂ，Ｙｂの間の位置に対向する位置において横壁５Ａａ１と５Ａａ２間を列方向に延びる複数の縦壁５Ａｂとによって、それぞれ略格子形状に成形されている。
【００３６】
そして、この縦壁５Ａの両側の横壁５Ａａ１と５Ａａ２は、隣接する隔壁５Ｃ側の横壁５Ａａ１の列方向の幅が、隔壁５Ｃの横壁５Ｃａと同じ幅Ｗ１となるように成形され、隔壁５Ｂ側の横壁５Ａａ２は  その列方向の幅が、横壁５Ａａ１の列方向の幅Ｗ１よりも大きい幅Ｗ２になるように成形されている。
【００３７】
同様に、隔壁５Ｂは、対応する行電極対（Ｘ，Ｙ）の行電極Ｘ，Ｙのバス電極Ｘａ，Ｙａよりも列方向のそれぞれ外側の位置に対向する位置において、行方向の延びる一対の横壁５Ｂａ１および５Ｂａ２と、行方向において隣接する透明電極Ｘｂ，Ｙｂの間の位置に対向する位置において横壁５Ｂａ１と５Ｂａ２間を列方向に延びる複数の縦壁５Ｂｂとによって、それぞれ略格子形状に成形されている。
【００３８】
そして、この縦壁５Ｂの両側の横壁５Ｂａ１と５Ｂａ２は、隣接する隔壁５Ｃ側の横壁５Ｂａ１の列方向の幅が、隔壁５Ｃの横壁５Ｃａと同じ幅Ｗ１となるように成形され、隔壁５Ｂ側の横壁５Ａａ２は、その列方向の幅が、隔壁５Ａの横壁５Ａａ２の列方向の幅と同じ幅Ｗ２になるように成形されている。
【００３９】
この各隔壁５Ａ，５Ｂ，５Ｃの横壁５Ａａ１，５Ａａ２，５Ｂａ１，５Ｂａ２，５Ｃａは、それぞれ、互いに背中合わせに位置する隣接する他の隔壁の横壁に、行方向に延びるスリットＳＬを挟んで平行に対向されている。
【００４０】
各列電極Ｄの上電極部分Ｄ１の下端先端部は、それぞれ隔壁５Ａの横壁５Ａａ２に対向する位置に位置されていて、この横壁５Ａａ２に対向する位置から下方には延びていない。
同様に、各列電極Ｄの下電極部分Ｄ２の上端先端部は、それぞれ隔壁５Ｂの横壁５Ｂａ２に対向する位置に位置されていて、この横壁５Ｂａ２に対向する位置から上方には延びていない。
【００４１】
上記ＰＤＰは、行電極対（Ｘ，Ｙ）の行電極Ｘ，Ｙ間で行われるリセット放電によって全ての放電セルＣの初期化が行われた後、行電極Ｙと列電極Ｄとの間で選択的にアドレス放電が発生されて発光を行う放電セル（発光セル）Ｃと発光を行わない放電セル（非発光セル）Ｃの選択が行われ、この後、発光セルＣにおいて行電極対（Ｘ，Ｙ）の行電極ＸとＹ間でサステイン放電が発生されて、赤，緑，青の蛍光体層６が発光することにより、マトリクス表示による画像を形成する。
【００４２】
この駆動時のアドレス放電発生時に、上記ＰＤＰは、各列電極Ｄが上下に二分割されていることによって、列電極Ｄの上電極部分Ｄ１と下電極部分Ｄ２に別個にデータ・パルスを印加して、パネル面Ｐの上パネル面Ｐ１側と下パネル面Ｐ２側で同時にアドレス操作が行われるようにすることにより、このアドレス放電期間を短縮することが出来る。
【００４３】
そして、上記ＰＤＰは、隔壁５Ａと５Ｂのパネル面Ｐの上パネル面Ｐ１と下パネル面Ｐ２の分割境界線αを挟んで対向する横壁５Ａａ２と５Ｂａ２の列方向の幅Ｗ２が、この隔壁５Ａ，５Ｂの他方の側の横壁５Ａａ１と５Ｂａ１の列方向の幅Ｗ１よりも大きくなるように形成されていることにより、ＰＤＰ製造時のサンドブラスト法による隔壁形成工程時に、列電極Ｄが分割されている部分の隔壁形成層に発生する静電気と他の部分の隔壁形成層に発生する静電気の大きさの違いによってこの列電極Ｄの分割部分に隔壁形成層の削り斑の発生が発生する場合でも、横壁５Ａａ２と５Ｂａ２の列方向の幅Ｗ２がこの削り斑を予め想定した大きさに設定されることによって、パネル面の全面に亘って均一な放電セルが形成されるようになり、これによって、画面に表示斑が発生するのを防止することが出来るようになる。
【００４４】
さらに、上記ＰＤＰは、横壁５Ａａ２と５Ｂａ２の列方向の幅Ｗ２が、この隔壁５Ａ，５Ｂの他方の側の横壁５Ａａ１と５Ｂａ１の列方向の幅Ｗ１よりも大きくなるように形成されていることによって、サンドブラスト法による隔壁形成工程時に列電極Ｄが分割されている部分の隔壁の高さが他の部分よりも高くなるのが防止され、この部分において隔壁と対向する基板側の構造部分との間に接触斑が生じるのが防止されて、聴感ノイズが発生する虞がなくなる。
【００４５】
さらに、上記ＰＤＰは、行電極対（Ｘ，Ｙ）を構成する行電極ＸとＹのうち、維持電極側となる行電極Ｘが列電極Ｄが分割されている分割境界線α側に位置して互いに対向されているので、製造工程において前面ガラス基板１と背面ガラス基板３が重ね合わされた際に、この二枚の基板の重ね合わせ位置にずれが生じた場合でも、走査電極となる行電極Ｙと列電極Ｄとの対向面積は変化しないため、画面に表示斑が発生する虞がない。
【００４６】
なお、上記においては、列電極Ｄの上電極部分Ｄ１の下端先端部と下電極部分Ｄ２の上端先端部がそれぞれ隔壁５Ａ，５Ｂの横壁５Ａａ２，５Ｂａ２に対向する位置に位置されている例が示されているが、この上電極部分Ｄ１の下端先端部と下電極部分Ｄ２の上端先端部は、それぞれ横壁５Ａａ２，５Ｂａ２の手前位置に位置していて横壁５Ａａ２，５Ｂａ２と重なり合っていなくても良い。
【実施例２】
【００４７】
図４は、この発明の実施形態におけるＰＤＰの第２実施例を示す正面図である。
【００４８】
この実施例におけるＰＤＰは、パネル面Ｐの上パネル面Ｐ１と下パネル面Ｐ２の分割境界線αを挟んで両側に位置する隔壁１５Ａと１５Ｂが、横壁１５ｃを共用している。
【００４９】
この横壁１５ｃは、列方向の幅Ｗ３が、隔壁１５Ａ，１５Ｂのそれぞれの他方の側（隔壁５Ｃ側）の横壁１５Ａａ，１５Ｂａおよび隔壁５Ｃの横壁５Ｃａの列方向の幅Ｗ１よりも大きくなるように成形されており、その中心線が分割境界線αに一致するように配置されている。
従って、第１実施例の場合と異なり、隔壁１５Ａと１５Ｂの間に隙間は形成されていない。
【００５０】
そして、各列電極Ｄの上電極部分Ｄ１の下端先端部は、それぞれ、横壁１５ｃの上縁部分に対向する位置に位置されていて、分割境界線αから下方には延びておらず、同様に、下電極部分Ｄ２の上端先端部は、それぞれ、横壁１５ｃの下縁部分に対向する位置に位置されていて、分割境界線αから上方には延びていない。
【００５１】
この実施例におけるＰＤＰの他の部分の構成は、前述した第１実施例のＰＤＰと同様であり、第１実施例のＰＤＰと同一の構成部分については、図４に図２と同一の符号が付されている。
【００５２】
この実施例にけるＰＤＰも、第１実施例の場合と同様に、ＰＤＰ製造時のサンドブラスト法による隔壁形成工程時に、隔壁形成層に削り斑が発生して画面に表示斑が発生する場合、横壁１５ｃの列方向の幅Ｗ３がこの削り斑を予め想定した大きさに設定されることによって、パネル面の全面に亘って均一な放電セルが形成されるようになり、これによって、画面に表示斑が発生するのを防止することが出来るようになる。
【００５３】
さらに、第１実施例の場合と同様に、列電極Ｄの分割部分の隔壁の高さが高くなって基板側の構造部分との間の接触斑が発生することによる聴感ノイズの発生を防止することが出来、さらに、前面ガラス基板１と背面ガラス基板３の重ね合わせ位置のずれによる画面の表示斑の発生を防止することが出来る。
【００５４】
なお、上記においては、列電極Ｄの上電極部分Ｄ１の下端先端部と下電極部分Ｄ２の上端先端部がそれぞれ隔壁１５Ａ，１５Ｂの横壁１５ｃに対向する位置に位置されている例が示されているが、この上電極部分Ｄ１の下端先端部と下電極部分Ｄ２の上端先端部は、それぞれ横壁１５ｃの手前位置に位置していて横壁１５ｃと重なり合っていなくても良い。
【実施例３】
【００５５】
図５は、この発明の実施形態におけるＰＤＰの第３実施例を示す正面図である。
【００５６】
この実施例におけるＰＤＰは、第１実施例のＰＤＰにおいて、パネル面Ｐの分割境界線αを挟んで両側に位置する隔壁５Ａと５Ｂの横壁５Ａａ２と５Ｂａ２が、この横壁５Ａａ２と５Ｂａ２の間の隙間ＳＬ１内に位置するとともに、隔壁５Ａ，５Ｂの縦壁５Ａｂ，５Ｂｂと同列に並ぶ位置において列方向に延びる複数の連結壁２５によって、互いに連結されている。
【００５７】
この連結壁２５は、その行方向の幅Ｗ４が隔壁５Ａ，５Ｂの縦壁５Ａｂ，５Ｂｂの行方向の幅Ｗ５よりも大きくなるように成形されている。
【００５８】
この実施例におけるＰＤＰの他の部分の構成は、前述した第１実施例のＰＤＰと同様であり、第１実施例のＰＤＰと同一の構成部分については、図５に図２と同一の符号が付されている。
【００５９】
この実施例にけるＰＤＰも、第１実施例の場合と同様に、ＰＤＰ製造時のサンドブラスト法による隔壁形成工程時に、隔壁形成層に削り斑が発生するような場合でも、画面に表示斑が発生するのを防止することが出来るとともに、列電極Ｄの分割部分の隔壁の高さが高くなって基板側の構造部分との間の接触斑が発生することによる聴感ノイズの発生を防止することが出来、さらに、前面ガラス基板１と背面ガラス基板３の重ね合わせ位置のずれによる画面の表示斑の発生を防止することが出来る。
【００６０】
なお、上記においては、列電極Ｄの上電極部分Ｄ１の下端先端部と下電極部分Ｄ２の上端先端部がそれぞれ隔壁５Ａ，５Ｂの横壁５Ａａ２，５Ｂａ２に対向する位置に位置されている例が示されているが、この上電極部分Ｄ１の下端先端部と下電極部分Ｄ２の上端先端部は、それぞれ横壁５Ａａ２，５Ｂａ２の手前位置に位置していて横壁５Ａａ２，５Ｂａ２と重なり合っていなくても良い。
【実施例４】
【００６１】
図６は、この発明の実施形態におけるＰＤＰの第４実施例を示す正面図である。
【００６２】
この実施例におけるＰＤＰは、第１実施例のＰＤＰにおいて、パネル面Ｐの分割境界線αを挟んで両側に位置する隔壁５Ａと５Ｂの横壁５Ａａ２と５Ｂａ２が、この横壁５Ａａ２と５Ｂａ２の間の隙間ＳＬ２内に位置するとともに、行電極Ｘ，Ｙの各透明電極Ｘｂ，Ｙｂと同列に並ぶ位置において列方向に延びる複数の連結壁３５によって、互いに連結されている。
【００６３】
この連結壁３５は、その行方向の幅Ｗ６が隔壁５Ａ，５Ｂの縦壁５Ａｂ，５Ｂｂの行方向の幅Ｗ５よりも大きくなるように成形されている。
【００６４】
この実施例におけるＰＤＰの他の部分の構成は、前述した第１実施例のＰＤＰと同様であり、第１実施例のＰＤＰと同一の構成部分については、図６に図２と同一の符号が付されている。
【００６５】
この実施例にけるＰＤＰも、第１実施例の場合と同様に、ＰＤＰ製造時のサンドブラスト法による隔壁形成工程時に、隔壁形成層に削り斑が発生するような場合でも、画面に表示斑が発生するのを防止することが出来るとともに、列電極Ｄの分割部分の隔壁の高さが高くなって基板側の構造部分との間の接触斑が発生することによる聴感ノイズの発生を防止することが出来、さらに、前面ガラス基板１と背面ガラス基板３の重ね合わせ位置のずれによる画面の表示斑の発生を防止することが出来る。
【００６６】
なお、上記においては、列電極Ｄの上電極部分Ｄ１の下端先端部と下電極部分Ｄ２の上端先端部がそれぞれ隔壁５Ａ，５Ｂの横壁５Ａａ２，５Ｂａ２に対向する位置に位置されている例が示されているが、この上電極部分Ｄ１の下端先端部と下電極部分Ｄ２の上端先端部は、それぞれ横壁５Ａａ２，５Ｂａ２の手前位置に位置していて横壁５Ａａ２，５Ｂａ２と重なり合っていなくても良い。
【実施例５】
【００６７】
図７は、この発明の実施形態におけるＰＤＰの第５実施例を示す正面図である。
【００６８】
この実施例におけるＰＤＰは、第１実施例のＰＤＰにおいて、パネル面Ｐの分割境界線αの上方側に位置する隔壁５Ａの横壁５Ａａ２のそれぞれ行方向に隣接する縦壁５Ａｂの間に位置する部分の中央部分に、この横壁５Ａａ２から分割境界線αの下方側に位置する隔壁５Ｂ側に向かって隙間ＳＬ４内に突出する突出部４５Ａが一体的に形成され、隔壁５Ｂの横壁５Ｂａ２のそれぞれ行方向に隣接する縦壁５Ｂｂの間に位置する部分の中央部分に、この横壁５Ｂａ２から隔壁５Ａ側に向かって突出して、隙間ＳＬ４内において隔壁５Ａ側の突出部４５Ａと隙間を介して対向される突出部４５Ｂが一体的に形成されている。
【００６９】
この突出部４５Ａと４５Ｂによって、隔壁５Ａ，５Ｂの横壁５Ａａ２、５Ｂａ２のそれぞれ隣接する縦壁５Ａｂ間，５Ｂｂ間の中央部分の列方向の幅が、横壁５Ａａ２、５Ｂａ２の他の部分の幅よりも大きくなっている。
【００７０】
この実施例におけるＰＤＰの他の部分の構成は、前述した第１実施例のＰＤＰと同様であり、第１実施例のＰＤＰと同一の構成部分については、図６に図２と同一の符号が付されている。
【００７１】
この実施例にけるＰＤＰも、第１実施例の場合と同様に、ＰＤＰ製造時のサンドブラスト法による隔壁形成工程時に、隔壁形成層に削り斑が発生するような場合でも、画面に表示斑が発生するのを防止することが出来るとともに、列電極Ｄの分割部分の隔壁の高さが高くなって基板側の構造部分との間の接触斑が発生することによる聴感ノイズの発生を防止することが出来、さらに、前面ガラス基板１と背面ガラス基板３の重ね合わせ位置のずれによる画面の表示斑の発生を防止することが出来る。
【００７２】
なお、上記においては、列電極Ｄの上電極部分Ｄ１の下端先端部と下電極部分Ｄ２の上端先端部がそれぞれ隔壁５Ａ，５Ｂの横壁５Ａａ２，５Ｂａ２に対向する位置に位置されている例が示されているが、この上電極部分Ｄ１の下端先端部と下電極部分Ｄ２の上端先端部は、それぞれ横壁５Ａａ２，５Ｂａ２の手前位置に位置していて横壁５Ａａ２，５Ｂａ２と重なり合っていなくても良い。
【実施例６】
【００７３】
図８は、この発明の実施形態におけるＰＤＰの第６実施例を示す正面図である。
【００７４】
第１実施例のＰＤＰの行電極対（Ｘ，Ｙ）の配置が、行電極Ｘがパネル面Ｐの最上部に位置されてＸ−Ｙ，Ｙ−Ｘ…という配置になっていて、分割境界線αの両側に、維持電極である行電極Ｘが配置された態様になっているのに対し、この実施例におけるＰＤＰは、行電極対（Ｘ，Ｙ）の配置が、行電極Ｙがパネル面Ｐの最上部に位置されてＹ−Ｘ，Ｘ−Ｙ…という配置になっていて、分割境界線αの両側に走査電極である行電極Ｙが配置された態様になっている。
【００７５】
そして、このＰＤＰにおいて、隔壁の構成は、前述した第１ないし第５実施例の何れの構成も適用することが出来る。
【００７６】
この実施例にけるＰＤＰも、第１実施例の場合と同様に、ＰＤＰ製造時のサンドブラスト法による隔壁形成工程時に、隔壁形成層に削り斑が発生して画面に表示斑が発生するのを防止することが出来るとともに、列電極Ｄの分割部分の隔壁の高さが高くなって基板側の構造部分との間の接触斑が発生することによる聴感ノイズの発生を防止することが出来る。
【００７７】
上記各実施例のＰＤＰは、放電空間を介して対向する第１および第２基板と、行方向に延びる第１および第２行電極からなり第1基板側の内面に列方向に並設された複数の行電極対と、第２基板側の内面に列方向に延びるとともに行方向に並設されて行電極対と交差する部分の放電空間にそれぞれ単位発光領域を形成する複数の列電極と、少なくとも行方向に延びる横壁を備えて放電空間を各単位発光領域毎に区画する隔壁とを備え、各列電極がそれぞれ第１電極部分と第２電極部分に二分割されてパネル面に第１電極部分が対向する第１パネル面と第２電極部分が対向する第２パネル面が構成されたプラズマディスプレイパネルにおいて、前記隔壁の第１パネル面と第２パネル面の境界に位置する部分の横壁の列方向の幅が隔壁の他の部分の横壁の列方向の幅よりも大きくなっている実施形態のＰＤＰを、その上位概念の実施形態としている。
【００７８】
この上位概念を構成する実施形態のＰＤＰは、列電極が第１電極部分と第２電極部分に分割されたＰＤＰの製造が例えばサンドブラスト法によって行われる際に、このＰＤＰの隔壁形成工程時に、隔壁の第１パネル面と第２パネル面の境界に位置する部分の横壁の列方向の幅が隔壁の他の部分の横壁の列方向の幅よりも大きくなっていることにより、ＰＤＰ製造時のサンドブラスト法による隔壁形成工程時に列電極が分割されている部分に隔壁形成層の削り斑の発生が発生する場合でも、列電極の分割部分における横壁の列方向の幅がこの削り斑を予め想定した任意の大きさに設定されることによって、焼成時の収縮による変形の仕方を他の部分の横壁とほぼ同じにすることが出来、パネル面の全面に亘って均一な放電セルを形成することが出来るようになるので、これによって、画面に表示斑が発生するのを防止することが出来、さらに、サンドブラスト法による隔壁形成工程時に列電極が分割されている部分の隔壁の高さが他の部分よりも高くなるのが防止され、この部分において隔壁と対向する基板側の構造部分との間に接触斑が生じるのが防止されて、聴感ノイズが発生する虞がなくなる。
【００７９】
なお、第１ないし第７実施例の列電極の分割部分における横壁の形状は、ＰＤＰ製造時のサンドブラスト法による隔壁形成工程時に列電極Ｄが分割されている部分の隔壁形成層の削り斑の発生形態に対応して、任意に選択される。
【図面の簡単な説明】
【００８０】
【図１】この発明の第１実施例のＰＤＰの行電極対の配置を示す説明図である。
【図２】同実施例のＰＤＰのパネル構成を示す正面図である。
【図３】図２のＶ−Ｖ線における断面図である。
【図４】この発明の第２実施例のＰＤＰのパネル構成を示す正面図である。
【図５】この発明の第３実施例のＰＤＰのパネル構成を示す正面図である。
【図６】この発明の第４実施例のＰＤＰのパネル構成を示す正面図である。
【図７】この発明の第５実施例のＰＤＰのパネル構成を示す正面図である。
【図８】この発明の第６実施例のＰＤＰの行電極対の配置を示す説明図である。
【符号の説明】
【００８１】
１              …前面ガラス基板（第１基板）
３              …背面ガラス基板（第２基板）
５Ａ，５Ｂ、５Ｃ，１５Ａ，１５Ｂ            …隔壁（梯子状隔壁）
５Ａａ１，５Ａａ２，５Ｂａ１，５Ｂａ２，５Ｃａ，１５Ａａ１，１５Ｂａ１，１５ｃ                                      …横壁
５Ａｂ，５Ｂｂ、５Ｃｂ，１５Ａｂ，１５Ｂｂ  …縦壁
２５，３５      …連結壁（壁部）
４５Ａ，４５Ｂ  …突出部
Ｃ              …放電セル（単位発光領域）
Ｄ              …列電極
Ｄ１            …上電極部分（第１電極部分）
Ｄ２            …下電極部分（第２電極部分）
Ｐ              …パネル面
Ｐ１            …上パネル面（第１パネル面）
Ｐ２            …下パネル面（第２パネル面）
ＳＬ，ＳＬ１，ＳＬ２，ＳＬ３，ＳＬ４        …スリット
Ｘ              …行電極（第１電極，維持電極）
Ｙ              …行電極（第２電極，走査電極）
α              …分割境界線
【図１】
2008171728.tif 000003
【図２】
2008171728.tif 000004
【図３】
2008171728.tif 000005
【図４】
2008171728.tif 000006
【図５】
2008171728.tif 000007
【図６】
2008171728.tif 000008
【図７】
2008171728.tif 000009
【図８】
2008171728.tif 000010